(57)【特許請求の範囲】
【請求項１】
飲料用空き缶潰し機の機枠を上下向きに設け、上方から挿入された横向きの飲料用空き缶を潰す空き缶潰し所を機枠に設け、当該空き缶潰し所の片面側に空き缶圧潰受け板を設け、空き缶圧潰受け板の対面側に回動軸を中心に回動して空き缶圧潰受け板に向けて横向き円筒形の飲料用空き缶を押圧し圧潰する空き缶圧潰可動体を設け、空き缶圧潰可動体の横向き円筒形の飲料用空き缶に向けての圧潰回動時に、横向き円筒形の飲料用空き缶の側周面の上半円形部側の一部を押圧変形し上方に逃避移動する押圧面が丸みを帯びた第一列圧潰刃と、第一列圧潰刃で一部変形した横向き円筒形の飲料用空き缶の側周面中央部側を空き缶圧潰受け板に向けて押圧して圧潰する押圧面が丸みを帯びた第二列圧潰刃と、第二列圧潰刃で大部分が圧潰され横向きの飲料用空き缶の側周面下部の不十分な圧潰部分を空き缶圧潰受け板に向けて押圧して圧潰する押圧面が丸みを帯びた第三列圧潰刃とを空き缶圧潰可動体の押圧面側に配置し、空き缶圧潰可動体を空き缶圧潰受け板から離隔方向に向けて常時付勢する復帰バネを設け、空き缶潰し所に挿入された横向き円筒形の飲料用空き缶の側面下部側を支持し下部の回動軸を中心に空き缶圧潰受け板と空き缶圧潰可動体との間を回動する空き缶支持杆を設け、機枠の下部に片足で踏まれて下側に移動する足踏機構を設け、足踏機構の下側への移動を空き缶圧潰可動体の空き缶圧潰受け板に向けての回転モーメントに変換して伝達する動力伝達機構を設け、上記空き缶潰し所で潰された飲料用空き缶を下方に設置される空き缶回収容器内に向けて案内する案内板を空き缶潰し所の下方に設け、案内板の下方に空き缶回収容器の設置スペースを設けたことを特徴とする飲料用空き缶潰し機。
【発明の詳細な説明】
【技術分野】
【０００１】
この発明は、飲まれて空となった例えばコーヒー缶などの飲料用空き缶を潰す機器に係り、特に、例えばスチール製の硬めの飲料用空き缶を機器の下部に設置される既存の空き缶回収容器よりも高い位置で人力で簡単に潰すことができると共に、潰した空き缶を既存の空き缶回収容器内に自然落下させて自動的に回収させる飲料用空き缶潰し機に関するものである。
【背景技術】
【０００２】
飲まれて空となった例えばコーヒー缶などの飲料用空き缶を潰す機器としては、動力を使用する駆動型ものと、人間の力を利用する手動型とがある。駆動型のものは駆動機構が必要なため一般に大型となり、又コストも高くなり易い。これに対して、手動型の装置は一般に小型であり、又力が一番強い足の力を利用して飲料用空き缶を踏み潰す構造のものが一般的である。
【発明の開示】
【発明が解決しようとする課題】
【０００３】
しかしながら、手動型の飲料用空き缶潰し機は、体を屈んで足下の機器の一部に飲料用空き缶を横向きにして置き、足で機器の一部を踏みつけて飲料用空き缶を潰し、潰した後は再び体を屈んで潰した飲料用空き缶を拾って回収容器内に捨てる必要があり面倒であった。
また、飲料用空き缶の中でその材質がスチール製のものは、アルミ製に比べて強度が高く、足で機器の一部を踏んでも簡単に潰れず一部変形するにとどまり不完全な潰しになることもあった。
【０００４】
この発明は、上記のような課題に鑑み、その課題を解決すべく創案されたものであって、その目的とするところは、体を屈めることなく立ったままで飲料用空き缶を空き缶潰し機に挿入でき、片足で機器の一部を踏んで特に硬めの飲料用空き缶をも簡単にしかも完全に潰すことができ、さらに潰した飲料用空き缶を設置された既存の空き缶回収容器内に自動的に落下回収させることのできる飲料用空き缶潰し機を提供することにある。
【課題を解決するための手段】
【０００５】
以上の目的を達成するために、この発明は、飲料用空き缶潰し機の機枠を上下向きに設け、上方から挿入された横向きの飲料用空き缶を潰す空き缶潰し所を機枠に設け、当該空き缶潰し所の片面側に空き缶圧潰受け板を設け、空き缶圧潰受け板の対面側に回動軸を中心に回動して空き缶圧潰受け板に向けて横向き円筒形の飲料用空き缶を押圧し圧潰する空き缶圧潰可動体を設け、空き缶圧潰可動体の横向き円筒形の飲料用空き缶に向けての圧潰回動時に、横向き円筒形の飲料用空き缶の側周面の上半円形部側の一部を押圧変形し上方に逃避移動する押圧面が丸みを帯びた第一列圧潰刃と、第一列圧潰刃で一部変形した横向き円筒形の飲料用空き缶の側周面中央部側を空き缶圧潰受け板に向けて押圧して圧潰する押圧面が丸みを帯びた第二列圧潰刃と、第二列圧潰刃で大部分が圧潰され横向きの飲料用空き缶の側周面下部の不十分な圧潰部分を空き缶圧潰受け板に向けて押圧して圧潰する押圧面が丸みを帯びた第三列圧潰刃とを空き缶圧潰可動体の押圧面側に配置し、空き缶圧潰可動体を空き缶圧潰受け板から離隔方向に向けて常時付勢する復帰バネを設け、空き缶潰し所に挿入された横向き円筒形の飲料用空き缶の側面下部側を支持し下部の回動軸を中心に空き缶圧潰受け板と空き缶圧潰可動体との間を回動する空き缶支持杆を設け、機枠の下部に片足で踏まれて下側に移動する足踏機構を設け、足踏機構の下側への移動を空き缶圧潰可動体の空き缶圧潰受け板に向けての回転モーメントに変換して伝達する動力伝達機構を設け、上記空き缶潰し所で潰された飲料用空き缶を下方に設置される空き缶回収容器内に向けて案内する案内板を空き缶潰し所の下方に設け、案内板の下方に空き缶回収容器の設置スペースを設けた手段よりなるものである。
【発明の効果】
【０００６】
以上の記載より明らかなように、この発明に係る飲料用空き缶潰し機によれば、立った状態で飲料用空き缶を飲料用空き缶潰し機内に入れることができ、しかもその立った状態で片足で機器の一部を踏むことで飲料用空き缶を簡単に潰すことができる。特に、強度のあるスチール製缶も三段階に分けて潰すことにより、つまり缶を潰しやすくする初期の一部変形させて応力集中変形を生じさせるための押圧、缶を本格的に潰すための本押圧、缶の潰し残し部分を潰す終期押圧に分けて潰すことにより、強度のあるスチール製缶も簡単にしかも確実に潰すことができる。
しかも、飲料用空き缶は高い位置で潰すため、潰れた飲料用空き缶は案内板に沿って自然落下して、その下方の回収容器内に自動的に入って回収され、従来の手動型の飲料用空き缶潰し機のように、体を屈めて飲料用空き缶を置き、又潰れた飲料用空き缶をわざわざ拾って回収容器内に捨てる手間を省くことができる等、極めて新規的有益なる効果を奏するものである。
【発明を実施するための最良の形態】
【０００７】
以下、図面に記載の発明を実施するための最良の形態に基づいて、この発明をより具体的に説明する。
ここで、図１は飲料用空き缶潰し機の一部省略側面図、図２は飲料用空き缶潰し機の一部省略正面図、図３は飲料用空き缶潰し機の平面図、図４（Ａ）〜（Ｅ）は飲料用空き缶潰し機の動作説明図である。
【０００８】
図において、飲料用空き缶潰し機１は、体を屈めることなく立ったままで飲料用空き缶ａを空き缶潰し機に挿入でき、片足で機器の一部を踏んで特に硬めの飲料用空き缶ａをも簡単にしかも完全に潰すことができ、さらに潰した飲料用空き缶ａを設置された既存の空き缶回収容器ｂ内に自動的に落下回収させることができる特徴を有している。
【０００９】
飲料用空き缶潰し機１は、当該潰し機１の枠組みを構成する機枠２、機枠２の例えば上部側に設けられた空き缶潰し所３、空き缶潰し所３に設けられた空き缶圧潰受け板４、空き缶圧潰可動体５及び空き缶支持杆６、機枠２の下部に設けられた足踏機構７、足踏機構７からの力を空き缶圧潰可動体５に回転モーメントに変換して伝達する動力伝達機構８、既存の空き缶回収容器ｂ内に自動的に落下させる案内板９などから構成されている。
【００１０】
飲料用空き缶潰し機１の機枠２は上下向きに設けられている。機枠２は左右の側部支柱２１と、側部支柱２１の下端が固設された台座２２から構成されている。左右の側部支柱２１には例えば断面Ｌ字鋼が使用されている。左右の側部支柱２１は間をあけて上下向きに並設されている。
【００１１】
台座２２は飲料用空き缶潰し機１が前後左右に転倒するのを防ぐための支持台である。台座２２は平面からみて例えば方形状の形状になっていて、方形の厚みのある板が使用されている。
【００１２】
機枠２の上端側には把手２３が取り付けられている。把手２３は足踏み盤７を片足で踏む場合に、体のバランスを維持するために両手又は片手で掴むためのものである。把手２３には例えば水平なバーが左右幅方向に取り付けられ、把手２３のバーの両端側は、左右の側部支柱２１の後面上端側から上向きに取り付けられた各把手用支柱２３ａの上端側に連結されている。
【００１３】
空き缶潰し所３は、飲料用空き缶潰し機１に挿入された飲料用空き缶ａを潰す箇所で、飲料用空き缶潰し機１の上部に設けられている。空き缶潰し所３には、空き缶圧潰受け板４、空き缶圧潰受け板４に向けて飲料用空き缶ａを押し付けて潰す空き缶圧潰可動体５、及び飲料用空き缶ａを下側から支持する空き缶支持杆６が設けられている。
【００１４】
空き缶圧潰受け板４は、空き缶圧潰可動体５により押し潰される飲料用空き缶ａを反対側から受けてその反力で、空き缶圧潰可動体５と両側から挟んで潰す働きをする。空き缶圧潰受け板４は、空き缶圧潰可動体５によって飲料用空き缶ａが押し付けられた際に変形しないように、厚みが十分あり剛性の高い鋼板などが使用されている。
【００１５】
空き缶圧潰受け板４は機枠２の左右の側部支柱２１の上部側の間に上下向きに設けられている。つまり空き缶圧潰受け板４の表面は図面では側部支柱２１と平行な垂直面になっている。空き缶圧潰受け板４の左右両端側は左右の側部支柱２１の上部側に例えばボルトナットなどの締結具によって固定されている。
【００１６】
空き缶圧潰可動体５は、空き缶潰し所３内に挿入された横向きの円筒形の飲料用空き缶ａを空き缶圧潰受け板４に向けて押圧して押し潰すもので、空き缶圧潰受け板４の対面側に、空き缶圧潰受け板４に向けて押圧できるように回動自在に取り付けられている。
【００１７】
空き缶圧潰可動体５は、左右の可動側板５１、左右の可動側板５１の間に横架された第一列取付軸５２ａに取り付けられた第一列圧潰刃５２と第二列取付軸５３ａに取り付けられた第二列圧潰刃５３と第三列取付軸５４ａに取り付けられた第三列圧潰刃５４、及び左右の可動側板５１を空き缶圧潰受け板４に向けて可動自在に機枠２の側部支柱２１に軸支させる回動軸５５などから構成される。
【００１８】
第一列圧潰刃５２は、空き缶圧潰可動体５の飲料用空き缶ａを押圧する押圧面側に配置されていて、空き缶圧潰可動体５の横向き円筒形の飲料用空き缶ａに向けての圧潰回動時に、横向き円筒形の飲料用空き缶ａの側周面の上半円形部側の一部を押圧変形し、つまり一部を少し窪ませて、上方に逃避移動する。第一列圧潰刃５２が上方に逃避移動するのは、その後の第二列圧潰刃５３による本格的な押し潰しの際に邪魔にならないようにするためである。
【００１９】
円筒形の形状は外部から側周面に圧力を受けた場合に変形しにくい構造として一般に知られている。さらに円筒形の材質がスチール製の場合には強度が高くなり変形させる外力に対して剛性が上がり、簡単には潰せない。一方、構造物に外力を作用させる場合に応力集中という現象があることが知られている。外力を作用させた場合に構造物の断面の急変部に応力が集中する現象で、円筒形の側周面の一部に窪みなどの変形があると、その窪み部分に応力が集中して弱い力でもその窪み部分を中心に変形が拡大して潰れやすくなる現象である。
【００２０】
この第一列圧潰刃５２はこの応力集中現象を円筒形の飲料用空き缶ａの側周面の一部に生じさせる働きをなすものである。つまり第一列圧潰刃５２で円筒形の飲料用空き缶ａの側周面の一部に窪みなどの変形を生じさせることで、飲料用空き缶ａを本格的に潰す第二列圧潰刃５３による押し潰し作業の際に窪みなどの変形を生じさせた部分に応力集中現象を生じさせて、弱い押圧力でも円筒形で強度のあるスチール製であっても簡単に押し潰せるようにしたのである。
【００２１】
第一列圧潰刃５２は、左右の可動側板５１の間に横架された水平な第一列取付軸５２ａに取り付けられている。第一列圧潰刃５２には円筒形の飲料用空き缶ａの側周面を押圧する押圧面が丸みを帯びた例えば円形盤が使用されている。すなわち例えば円形盤からなる第一列圧潰刃５２はその円形中心部に第一列取付軸５２ａを貫通して縦向きに取り付けられている。
【００２２】
第一列圧潰刃５２の当接面を丸みを帯びた例えば円形盤にするのは、円筒形の飲料用空き缶ａの側周面に最初に当接する場合には点接触となり、押圧力が一点に集中して飲料用空き缶ａの側周面に作用することになり、強い力で側周面を押圧して窪みなどの変形を生じさせやすくなるからである。
【００２３】
空き缶圧潰可動体５が回動軸５５を中心に空き缶圧潰受け板４側に向けて回動してきたときに、第一列圧潰刃５２の円形盤の円周縁の回動軌跡が空き缶潰し所３に挿入された横向きの飲料用空き缶の側周面の上半円形部側の一部に当接して窪みなどの変形を生じさせることができる位置に、第一列圧潰刃５２の複数の縦向きの円形盤を取り付けた第一列取付軸５２ａはその左右の可動側板５１に取り付けられる。しかも、第一列取付軸５２ａは第一列圧潰刃５２の円形盤が飲料用空き缶ａを一部変形させた後は、その第一列圧潰刃５２が飲料用空き缶ａの上方側に逃避移動して当たらないような位置に左右の可動側板５１に取り付けられている。
【００２４】
また、第一列圧潰刃５２は複数の縦向きの円形盤が少し間をあけて第一列取付軸５２ａに取り付けられていて、横向きの円筒形の飲料用空き缶ａの側周面の複数箇所を押圧して窪みなどの変形を形成できるように配置されている。複数の円形盤の間隔は調整可能になっている。
【００２５】
第二列圧潰刃５３は、空き缶圧潰可動体５の飲料用空き缶ａを押圧する押圧面側に配置されていて、空き缶圧潰可動体５の横向き円筒形の飲料用空き缶ａに向けての圧潰回動時に、第一列圧潰刃５２で応力集中が生じるように窪みなどの一部変形を生じさせた横向き円筒形の飲料用空き缶ａの側周面中央部側を空き缶圧潰受け板４に向けて押圧して圧潰するものである。飲料用空き缶ａは第二列圧潰刃５３によって本格的に押し潰される。
【００２６】
円筒形の飲料用空き缶ａは、前記したように、第一列圧潰刃５２によって応力集中が生じてその後の弱い力でも容易に押し潰れるようになっており、このため、第二列圧潰刃５３はあまり強い力でなくても、強度の高いスチール製の飲料用空き缶ａを容易に押し潰すことが可能となる。
【００２７】
即ち、第二列圧潰刃５３が横向きの円筒形の飲料用空き缶ａの側周面中央側を空き缶圧潰受け板４側に向けて押圧すると、飲料用空き缶ａは第一列圧潰刃５２によって変形させられた部分に応力集中が生じてその部分を中心に変形が拡大して潰れていく。
【００２８】
第二列圧潰刃５３は、左右の可動側板５１の間に横架された水平な第二列取付軸５３ａに取り付けられている。第二列圧潰刃５３には円筒形の飲料用空き缶ａの側周面を押圧する押圧面が丸みを帯びた例えば円形盤が使用されている。すなわち例えば円形盤からなる第二列圧潰刃５３はその円形中心部に第二列取付軸５３ａを貫通して縦向きに取り付けられている。
【００２９】
第二列圧潰刃５３の当接面を丸みを帯びた例えば円形盤にするのは、円筒形の飲料用空き缶ａの側周面に最初に当接する場合には点接触となり、押圧力が一点に集中して飲料用空き缶ａの側周面に作用することになり、強い力で側周面を押圧して変形を生じさせて押し潰せ易くなるからである。
【００３０】
空き缶圧潰可動体５が回動軸５５を中心に空き缶圧潰受け板４側に向けて回動してきたときに、第二列圧潰刃５３の円形盤の円周縁の回動軌跡が空き缶潰し所３に挿入された横向きの飲料用空き缶の側周面中央側に当接して空き缶圧潰受け板４に向けて押し潰せる位置に、第二列圧潰刃５３の複数の縦向きの円形盤を取り付けた第二列取付軸５３ａはその左右の可動側板５１に取り付けられる。
【００３１】
また、第二列圧潰刃５３は複数の縦向きの円形盤が少し間をあけて第二列取付軸５３ａに取り付けられていて、横向きの円筒形の飲料用空き缶ａの側周面の複数箇所を押圧して押し潰せるように配置されている。複数の円形盤の間隔は調整可能になっている。
【００３２】
第三列圧潰刃５４は、空き缶圧潰可動体５の飲料用空き缶ａを押圧する押圧面側に配置されていて、空き缶圧潰可動体５の横向き円筒形の飲料用空き缶ａに向けての圧潰回動時に、第二列圧潰刃５３で大部分が圧潰され横向きの飲料用空き缶ａの側周面下部の不十分な圧潰部分を空き缶圧潰受け板４に向けて押圧して圧潰するものである。飲料用空き缶ａは第三列圧潰刃５４によって略完全に押し潰される。
【００３３】
第三列圧潰刃５４は、左右の可動側板５１の間に横架された水平な第三列取付軸５４ａに取り付けられている。第三列圧潰刃５４には円筒形の飲料用空き缶ａの側周面を押圧する押圧面が丸みを帯びた例えば円形盤が使用されている。すなわち例えば円形盤からなる第三列圧潰刃５４はその円形中心部に第三列取付軸５４ａを貫通して縦向きに取り付けられている。
【００３４】
第三列圧潰刃５４の当接面を丸みを帯びた例えば円形盤にするのは、円筒形の飲料用空き缶ａの側周面に最初に当接する場合には点接触となり、押圧力が一点に集中して飲料用空き缶ａの側周面に作用することになり、強い力で側周面を押圧して変形を生じさせて押し潰せ易くなるからである。
【００３５】
空き缶圧潰可動体５が回動軸５５を中心に空き缶圧潰受け板４側に向けて回動してきたときに、第三列圧潰刃５４の円形盤の円周縁の回動軌跡が第二列圧潰刃５３で大部分が圧潰され横向きの飲料用空き缶ａの側周面下部の不十分な圧潰部分に当接して空き缶圧潰受け板４に向けて押し潰せる位置に、第三列圧潰刃５４の複数の縦向きの円形盤を取り付けた第三列取付軸５４ａはその左右の可動側板５１に取り付けられる。
【００３６】
また、第三列圧潰刃５４は複数の縦向きの円形盤が少し間をあけて第三列取付軸５４ａに取り付けられていて、横向きの円筒形の飲料用空き缶ａの側周面の複数箇所を押圧して押し潰せるように配置されている。複数の円形盤の間隔は調整可能になっている。
【００３７】
回動軸５５は、空き缶圧潰可動体５の左右の可動側板５１のコマ型形状の長軸側の端部に側方に向けてそれぞれ取り付けられ、機枠２の左右の側部支柱２１の上部に突設された軸受け２１ａの互いに向かい合う内側面に回転自在に軸支されている。空き缶圧潰可動体５は左右の回動軸５５を中心に空き缶圧潰受け板４に向けて回動自在になっていて、その押圧面に設けられた前記の第一列圧潰刃５２、第二列圧潰刃５３及び第三列圧潰刃５４により、飲料用空き缶ａを押し潰すことができるようになっている。
【００３８】
復帰バネ５６は、空き缶圧潰可動体５を空き缶圧潰受け板４から離隔方向に向けて常時付勢するバネで、飲料用空き缶ａを押し潰した空き缶圧潰可動体５を空き缶圧潰受け板４から離隔方向に向けて移動させて元の位置に復帰させる役目を果たす。復帰バネ５６は、空き缶圧潰可動体５の左右の可動側板５１にそれぞれその一端が連結され、他端は機枠２の上端側に設けた左右の把手用支柱２３ａにそれぞれ連結されている。復帰バネ５６には例えばコイル型の圧縮バネが使用されている。
【００３９】
空き缶支持杆６は、空き缶潰し所３に挿入された横向き円筒形の飲料用空き缶ａの側面下部側を支持して、潰される前の飲料用空き缶ａが空き缶潰し所３の下方に落下するのを防ぐ。空き缶支持杆６は空き缶潰し所３の下部に左右方向に取り付けられている。
【００４０】
空き缶支持杆６は空き缶圧潰受け板４と共に横向き円筒形の飲料用空き缶ａを支持する。即ち、横向き円筒形の飲料用空き缶ａは、側周面の中央側が空き缶圧潰受け板４の垂直面に当接して支持され、飲料用空き缶ａの下部半円形の下端より少し上側の空き缶圧潰受け板４から離れた側の下部側が空き缶支持杆６によって支持されることにより、潰される前の飲料用空き缶ａが空き缶潰し所３の下方に落下するのが防がれる。
【００４１】
空き缶支持杆６は、例えば細長い円筒杆を左右方向に水平に延長し、その左右両側をそれぞれ下向きに折り曲げて形成され、下向きに折り曲げられた下部側はそれぞれ保持筒６１内に挿通して保持され、また各保持筒６１の側面にはそれぞれ回動軸６１ａが側方に向けて軸支されて取り付けられている。左右の回動軸６１ａは左右の側部支柱２１の向かい合う内側面に連結されており、空き缶支持杆６は下部の回動軸６１ａを中心に空き缶圧潰受け板４と空き缶圧潰可動体５との間を回動する構造になっている。保持筒６１内を挿通した空き缶支持杆６の下端にはストッパー６１ｂが取り付けられている。
【００４２】
空き缶支持杆６の飲料用空き缶ａの下部を直接支持する部分は、空き缶圧潰可動体５の押圧回動時に第三列圧潰刃５４と上下で一部接触する位置にあり、空き缶圧潰可動体５による飲料用空き缶ａの押し潰し時に、空き缶圧潰受け板４に向けて回動する空き缶圧潰可動体５の第三列圧潰刃５４によって押圧されて、潰された飲料用空き缶ａの第三列圧潰刃５４より下側に突出する部分をさらに押し潰す機能を果たすことがある。
【００４３】
空き缶支持杆６には、空き缶圧潰受け板４側に回動した空き缶支持杆６を元の状態に復帰させる復帰バネ６２が設けられている。復帰バネ６２は、空き缶支持杆６を空き缶圧潰受け板４側から離隔方向に向けて常時付勢するバネである。復帰バネ６２は、空き缶支持杆６の下向きに折り曲げられ箇所にその一端が連結され、他端は機枠２の側部支柱２１から斜め上向きに取り付けられたバネ取付杆６２ａに連結されている。復帰バネ６２には例えばコイル型の圧縮バネが使用されている。
【００４４】
足踏機構７は、片足で踏まれて下側に移動することで、その移動する力を利用して前記の空き缶圧潰可動体５を空き缶圧潰受け板４に向けて回動させるもので、動力伝達機構８を通じて直線運動が空き缶圧潰可動体５の回転モーメント力に変換される。足踏機構７は機枠２の下部側に下側に向けて移動自在に設けられている。
【００４５】
足踏機構７は、機枠２の下部側に左右幅方向に横架される例えば棒状の足踏み盤７１、足踏み盤７１の両端側に回転自在にそれぞれ取り付けられる円形のローラー７２、各ローラー７２の外側の足踏み盤７１の両端にそれぞれ取り付けられるローラーガイド７３、ローラー７２がその傾斜表面を転動する傾斜レール７４などから構成されている。
【００４６】
足踏み盤７１の左右両端側に取り付けられたローラー７２は傾斜レール７４上を転動することにより足踏機構７をスムーズに下側に移動させる機能を果たす。左右のローラーガイド７３はこれより内側に取り付けられた左右のローラー７２が下側への移動時及び上動時に傾斜レール７４から脱輪するのを防ぐ機能を果たす。
【００４７】
傾斜レール７４は、機枠２の左右の側部支柱２１の下部側の外側面にその上端側が固設され、人が立つ側となる手前側に向けて斜め下向きに傾斜して配置され、その下端は台座２２上に接して支持されている。左右の傾斜レール７４はその下端側がレール連結棒７４ａによって連結されている。傾斜レール７４には例えば溝型鋼が使用されている。
【００４８】
ストッパー７５は、足踏み盤７１が傾斜レール７４の上端側から上方に逸脱するのを防ぐもので、機枠２の左右の側部支柱２１の傾斜レール７４の上端より少し低い下部側に人が立つ側となる手前側に向けて取り付けられている。足踏み盤７１はその上端がストッパー７５の下面に当接することにより、傾斜レール７４の上方に逸脱するのが防がれる。
【００４９】
動力伝達機構８は、足踏機構７の下側への移動の運動を空き缶圧潰可動体５の空き缶圧潰受け板４に向けての回転モーメントに変換して伝達する機構で、動力伝達線として機能する例えばチェーン８１、チェーン８１の両端が連結固定される上部固定軸８２と下部固定軸８３、及び両固定軸８２，８３の間にあるチェーン８１の移動方向を変転させながら円滑な移動を確保すると共にいわゆる倍力機構を構成させる複数のスプロケット８４〜８７などから構成されている。
【００５０】
チェーン８１の上側の一端が連結固定される上部固定軸８２は、空き缶潰し所３が設けられている機枠２の左右の側部支柱２１の外側面にそれぞれ取り付けられている。また、チェーン８１の下側の他端が連結固定される下部固定軸８３は、傾斜レール７４の上端側が取り付けられている機枠２の左右の側部支柱２１の外側面にそれぞれ取り付けられている。
【００５１】
空き缶圧潰可動体５の左右の側方には倍力機構を構成する複数の圧潰可動体側スプロケット８４がそれぞれ取り付けられている。複数の圧潰可動体側スプロケット８４は、空き缶圧潰可動体５の回動軸５５より最も離れた端部の左右の可動側板５１の間を貫通して両外側方に突出した横架されたスプロケット連結軸８４ａの左右両端側にそれぞれ回転自在に取り付けられている。図面ではそれぞれ３個の圧潰可動体側スプロケット８４が取り付けられている。
【００５２】
また、空き缶圧潰受け板４側の機枠２の左右の側部支柱２１側には、上記の圧潰可動体側スプロケット８４と共に倍力機構を構成する複数の圧潰受け板側スプロケット８５がそれぞれ取り付けられている。複数の圧潰受け板側スプロケット８５は、空き缶圧潰受け板４よりも人が立つ側となる手前側に側部支柱２１から突出して設けられた左右の固定側取付板８５ａの外側面にそれぞれ取り付けられたスプロケット連結軸８５ｂにそれぞれ回転自在に取り付けられている。図面ではそれぞれ２個の圧潰受け板側スプロケット８５が取り付けられている。
【００５３】
足踏機構７の足踏み盤７１の左右の側方には足踏側スプロケット８６がそれぞれ回転自在に取り付けられている。また、圧潰可動体側スプロケット８４と足踏側スプロケット８６との間には、複数の中間スプロケット８７が機枠２の左右の側部支柱２１の外側面の上下位置に回転自在に取り付けられている。
【００５４】
動力伝達線として機能する例えばチェーン８１は、一端が上部固定軸８２に連結固定され、それから空き缶圧潰可動体５の側面の第一の圧潰可動体側スプロケット８４に向けて延びそこで反転し、空き缶圧潰受け板４側の第一の圧潰受け板側スプロケット８５に向けて延びそこで反転する。反転したチェーン８１は、空き缶圧潰可動体５の側面の第二の圧潰可動体側スプロケット８４に向けて延びそこで反転し、空き缶圧潰受け板４側の第二の圧潰受け板側スプロケット８５に向けて再び延びそこで反転する。そして、チェーン８１は、空き缶圧潰可動体５の側面の第三の圧潰可動体側スプロケット８４に向けて延びそこで反転した後、下方に向かって延び、途中で複数の中間スプロケット８７で少し角度を変え、足踏み盤７１の足踏側スプロケット８６で上向きに反転して、その他端は下部固定軸８３に連結固定されている。
【００５５】
案内板９は、上記空き缶潰し所で潰された飲料用空き缶ａを下方に設置される空き缶回収容器ｂ内に向けて案内するもので、空き缶潰し所３の下方に設けられている。図面では、上部案内板９１とその下方側に位置する下部案内板９２が設けられている。上部案内板９１及び下部案内板９２は、機枠２の左右の側部支柱２１の間に設けられており、又左右の側部支柱２１に上部取付軸９１ａと下部取付軸９２ａにより取り付けられている。
【００５６】
上部案内板９１は空き缶支持杆６より下方にその下端が位置し、側部支柱２１より人が立つ側の反対側となる向こう側に上向きにく状に折れ曲がって形成され、その上端は空き缶支持杆６の上端の高さに位置している。下部案内板９２はその下端は側部支柱２１より向こう側に突出しているが、人が立つ側となる手前側に向かって斜め上向きに傾斜して形成され、その上端は上部案内板９１の下端の高さと略同じ位置にある。
【００５７】
下部案内板９２の下端の下方には空き缶回収容器ｂの設置スペース２２ａが設けられている。この設置スペース２２ａは前記した方形状の台座２２の左右の側部支柱２１より向こう側つまり人が立つ側の反対側の箇所となる。
【００５８】
次に、上記発明を実施するための最良の形態の構成に基づく飲料用空き缶潰し機の動作について以下説明する。
飲料用空き缶潰し機１の機枠２の人が立つ側となる手前側から、機枠２の上部に設けられた空き缶潰し所３内にその上方から円筒形の飲料用空き缶ａを挿入する。飲料用空き缶ａは横向きの状態で空き缶潰し所３内に挿入する。
【００５９】
つまり、飲料用空き缶ａを横向きにして手で掴んだ状態で、空き缶潰し所３の開口されている上方で掴んでいる手を離すと、飲料用空き缶ａは横向きの状態で空き缶潰し所３内に自然落下する。横向きの状態で落下した飲料用空き缶ａは、空き缶潰し所３の下部の空き缶支持杆６と空き缶潰し所３の手前側部分に位置し垂直面を有する空き缶圧潰受け板４とによって、空き缶潰し所３の内部に横向きの状態で支持される。
【００６０】
飲料用空き缶潰し機１の機枠２の上方に設置されている把手２３を両手で掴み、片足を機枠２の下部側に設けられた足踏機構７の足踏み盤７１の上に載せて、下向きに強く踏み込む。足踏機構７の足踏み盤７１を踏み込むと足踏み盤７１の下側への運動が動力伝達機構８を通じて空き缶潰し所３の空き缶圧潰可動体５を空き缶圧潰受け板４に向けての回転モーメントに変換されて、空き缶圧潰可動体５が空き缶潰し所３内の飲料用空き缶ａを押し潰すことになる。
【００６１】
即ち、足踏機構７の足踏み盤７１を踏み込むと、足踏み盤７１はその左右のローラー７２が傾斜レール７４の表面を転動しながら斜め下側に移動する。斜め下側に移動する足踏み盤７１の両端には足踏側スプロケット８６がそれぞれ取り付けられており、この足踏側スプロケット８６の外周側には動力伝達機構８のチェーン８１の下部側が半周強噛み合っている。
【００６２】
足踏み盤７１の斜め下側への移動に連動して、その両端の足踏側スプロケット８６も一体の状態で斜め下側へ移動する。足踏側スプロケット８６が斜め下側に移動すると、これの外周側に半周強も噛み合っているチェーン８１は、その下部側の他端が下部固定軸８３に連結固定されているため、チェーン全体が下側に引き寄せられる。このとき、足踏み盤７１の斜め下側への移動距離の２倍の長さでチェーン８１は全体的に下側に引き寄せられる。
【００６３】
チェーン８１が全体的に下側に引き寄せられると、チェーン８１の上部側の空き缶圧潰可動体５側の圧潰可動体側スプロケット８４と空き缶圧潰受け板４側の圧潰受け板側スプロケット８５との間に複数回も回装されているチェーン８１の長さは、チェーン８１全体が下側に引き寄せられて移動することにより短くなる。つまり、空き缶圧潰可動体５側の圧潰可動体側スプロケット８４と空き缶圧潰受け板４側の圧潰受け板側スプロケット８５との間隔が短くなる。
【００６４】
両者の間隔が短くなることは、圧潰受け板側スプロケット８５が固定されているため、圧潰可動体側スプロケット８４が取り付けられた空き缶圧潰可動体５が回動軸５５を中心として空き缶圧潰受け板４に向けて回動する。図面では空き缶圧潰可動体５は時計回りに回動する。
【００６５】
このとき、圧潰可動体側スプロケット８４と圧潰受け板側スプロケット８５との間はいわゆる倍力機構になっていて、小さな力で大きな回転モーメントを空き缶圧潰可動体５に作用させて回動させることができる。また、空き缶圧潰可動体５には復帰バネ５６によって常時これと逆方向の力が作用しているが、空き缶圧潰可動体５はこの復帰バネ５６の抵抗力に抗して空き缶圧潰受け板４側に向けて可動する。
【００６６】
空き缶圧潰受け板４側に向けて回動軸５５を中心として回動する空き缶圧潰可動体５は、その押圧面側に設けられた第一列圧潰刃５２が空き缶圧潰受け板４と空き缶支持杆６とで空き缶潰し所３内に支持された横向きの円筒形の飲料用空き缶ａの側周面の上半円形部側の一部を押圧して窪みなどの変形を生じさせた後、その上方に逃避移動する。飲料用空き缶ａは第一列圧潰刃５２によって、一部が窪みなどの変形することにより、その変形箇所に応力集中箇所を生じさせることになる。
【００６７】
そして、さらに足踏み盤７１を強く踏み込むと、空き缶圧潰可動体５の第二列圧潰刃５３が横向き円筒形の飲料用空き缶ａの側周面中央部側を空き缶圧潰受け板４に向けて押圧する。飲料用空き缶ａには第一列圧潰刃５２によって一部変形した応力集中箇所が生じているため、飲料用空き缶ａが例えスチール製の強度が高いものであっても、第二列圧潰刃５３の押圧によって飲料用空き缶ａをその一部変形した部分を中心にして押圧による変形が急激に拡大して容易に押し潰すことができる。
【００６８】
第二列圧潰刃５３によって飲料用空き缶ａの大部分を押し潰すことができる。特に第一列圧潰刃５２によって応力集中箇所が形成された飲料用空き缶ａの側周面の上部側及び中央側は十分に潰れているが、飲料用空き缶ａの側周面下部側には押し潰しが不十分な部分が生じることがあるが、この不十分な部分には第三列圧潰刃５４が押圧して押し潰す。
【００６９】
また、第三列圧潰刃５４が押し潰す場合に、第三列圧潰刃５４の一部が空き缶支持杆６の一部に接触してこれを空き缶圧潰受け板４に向けて押圧することがある。これにより、潰れた飲料用空き缶ａの下端側はこの押圧された空き缶支持杆６によってさらに押し付けられて潰れる。
【００７０】
このようにして、飲料用空き缶ａを押し潰した後に、足踏み盤７１を踏みつけていた片足を外すと、押し潰した飲料用空き缶ａを押圧していた空き缶圧潰可動体５は復帰バネ５６の働きにより、空き缶圧潰受け板４から離れる方向、つまり図面では反時計回りの回転モーメントが回動軸５５の回りに作用して、空き缶圧潰可動体５は回動軸５５を中心に反時計回りに回動して離れる。
【００７１】
また、潰れた飲料用空き缶ａの下端側を押圧していた空き缶支持杆６にも復帰バネ６２の働きにより、空き缶圧潰受け板４から離れる方向、つまり図面では時計回りの回転モーメントが回動軸６１ａの回りに作用して、空き缶支持杆６は回動軸６１ａを中心に時計回りに回動して離れる。
【００７２】
潰れた飲料用空き缶ａを空き缶圧潰受け板４に押し付けていた空き缶圧潰可動体５及び空き缶支持杆６が離脱することで、潰れた飲料用空き缶ａは自然落下して空き缶潰し所３の下部の隙間からその下方に落ちる。
【００７３】
空き缶潰し所３の下方には上部案内板９１が設けられていて、空き缶潰し所３から落ちた潰れた飲料用空き缶ａはその上部案内板９１に落下しそこを滑って、その下方の下部案内板９２に落下しそこを滑って、下部案内板９２の下端からその下方の設置スペース２２ａの上に設置された既存の空き缶回収容器ｂ内に落下して自動的に回収される。
【００７４】
なお、この発明は上記発明を実施するための最良の形態に限定されるものではなく、この発明の精神を逸脱しない範囲で種々の改変をなし得ることは勿論である。
【図面の簡単な説明】
【００７５】
【図１】この発明を実施するための最良の形態を示す飲料用空き缶潰し機の一部省略側面図である。
【図２】この発明を実施するための最良の形態を示す飲料用空き缶潰し機の一部省略正面図である。
【図３】この発明を実施するための最良の形態を示す飲料用空き缶潰し機の平面図である。
【図４】（Ａ）〜（Ｅ）はこの発明を実施するための最良の形態を示す飲料用空き缶潰し機の動作説明図である。
【符号の説明】
【００７６】
１    飲料用空き缶潰し機
２    機枠
２１    側部支柱
２１ａ  軸受け
２２    台座
２２ａ  設置スペース
２３    把手
２３ａ  把手用支柱
３    空き缶潰し所
４    空き缶圧潰受け板
５    空き缶圧潰可動体
５１    可動側板
５２    第一列圧潰刃
５２ａ  第一列取付軸
５３    第二列圧潰刃
５３ａ  第二列取付軸
５４    第三列圧潰刃
５４ａ  第三列取付軸
５５    回動軸
５６    復帰バネ
６    空き缶支持杆
６１    保持筒
６１ａ  回動軸
６１ｂ  ストッパー
６２    復帰バネ
６２ａ  バネ取付杆
７    足踏機構
７１    足踏み盤
７２    ローラー
７３    ローラーガイド
７４    傾斜レール
７４ａ  レール連結棒
７５    ストッパー
８    動力伝達機構
８１    チェーン
８２    上部固定軸
８３    下部固定軸
８４    圧潰可動体側スプロケット
８４ａ  スプロケット連結軸
８５    圧潰受け板側スプロケット
８５ａ  固定側取付板
８５ｂ  スプロケット連結軸
８６    足踏側スプロケット
８７    中間スプロケット
９    案内板
９１    上部案内板
９１ａ  上部取付軸
９２    下部案内板
９２ａ  下部取付軸
ａ    飲料用空き缶
ｂ    空き缶回収容器
【図１】
0004464350.tif 000002
【図２】
0004464350.tif 000003
【図３】
0004464350.tif 000004
【図４】
0004464350.tif 000005